(57)【特許請求の範囲】
【請求項１】
木造建築物における基礎にアンカーボルトを用いて土台を固定する土台固定方法において、
座金付ナットと該座金付ナット専用の回転治具とをセットとし、各々に切削用の刃を設け、上記セットを回転させることで上記座金付ナットを上記土台の上端面上であって上記アンカーボルトの上部に螺合させることを特徴とする土台固定方法。
【請求項２】
木造建築物における基礎にアンカーボルトを用いて土台を固定する土台固定具において、
座金付ナットと該座金付ナット専用の回転治具とのセットからなり、各々が切削用の刃を有し、上記セットが回転されることで上記座金付ナットが上記土台の上端面上であって上記アンカーボルトの上部に螺合されるようになしてあることを特徴とする土台固定具。
【請求項３】
基礎に埋設された土台固定用のアンカーボルトに螺合される座金付ナットと、該座金付ナットを上記アンカーボルトに螺合させるための回転治具とからなる土台固定具であって、
上記座金付ナットが、内面にネジ溝が形成された円筒状のナット部と、該ナット部の一端に結合された平板状の座金部とからなり、複数の切込部又は複数の貫通孔が上記座金部中央の周囲に均等に形成されており、
上記回転治具が、先端に刃部が形成された複数の挿入部を下面に有し、インパクトレンチ等の回転用器具を係止させる係止穴を上面中央に有し、複数の上記挿入部が複数の上記切込部又は複数の上記貫通孔の位置に対応して形成されている
ことを特徴とする土台固定具。
【請求項４】
上記ナット部と上記座金部との結合部に、切削刃が形成されている、請求項３に記載の土台固定具。
【発明の詳細な説明】
【０００１】
【発明の属する技術分野】
本発明は土台固定方法及び土台固定具、詳しくは、予め座掘を施す必要がなく、且つ土台上面に突出部を形成させることなく、容易且つ確実に基礎上に土台を固定することのできる土台固定方法及び土台固定具に関する。
【０００２】
【従来の技術及び発明が解決しようとする課題】
従来、木造建築物におけるコンクリート基礎上への土台の固定には、図７に示されるように、基礎３にアンカーボルト３ａを埋設させ、土台４に上記アンカーボルト３ａを貫通させ、該土台４の上面に突出された上記アンカーボルト３ａの先端にナット１０を螺合させて上記土台４を固定するのが一般的であった。しかし、最近注目されてきている高気密化住宅においては、上記土台４上に断熱材５を密着させる必要があるが、そのままでは上記ナット１０が該断熱材５の上記土台４上面への密着が困難となる。このため、図７に示されるように、上記断熱材５の上記ナット１０に対応する部分に凹部を形成させたりして対応しているが、該凹部を形成させるための工程が発生し、施工作業上の負担となり必ずしも好ましくはなかった。上記土台４上に配設される上記断熱材５以外の根太等の他の部材についても、同様な加工が必要となり施工作業上の負担となっていた。
【０００３】
一方、上記土台４上に上記断熱材５を密着させる手段としては、図８に示されるような手段も用いられている。図８に示される手段においては、上記土台４の上面に座掘４ａを形成させ、上記アンカーボルト３ａの先端及び上記ナット１０が該座掘４ａ内に納まるようにし、上記土台４の上面に突出する部分が発生しないようにする。このようにすることにより、上記断熱材５を上記土台４の上面に密着させることができるが、上記座堀４ａの加工を行う工程が発生するため、やはり施工作業上の負担となるという問題は解消されなかった。また、上記座堀４ａを形成させることにより上記土台４に断面欠損を生じさせることになり、その分該土台４の断面を大きくして対応しなければならなく、必要材料・材料費の増加を招いてしまうという問題もあった。
【０００４】
従って、本発明の目的は、予め座掘を施す必要なく、且つ土台上面に突出部を形成させることなく、容易且つ確実に基礎上に土台を固定することのできる土台固定方法及び土台固定具を提供することにある。
【０００５】
【課題を解決するための手段】
請求項１に記載の発明は、木造建築物における基礎にアンカーボルトを用いて土台を固定する土台固定方法において、座金付ナットと該座金付ナット専用の回転治具とをセットとし、各々に切削用の刃を設け、上記セットを回転させることで上記座金付ナットを上記土台の上端面上であって上記アンカーボルトの上部に螺合させることを特徴とする土台固定方法を提供することにより、上記目的を達成したものである。
【０００６】
請求項２に記載の発明は、木造建築物における基礎にアンカーボルトを用いて土台を固定する土台固定具において、座金付ナットと該座金付ナット専用の回転治具とのセットからなり、各々が切削用の刃を有し、上記セットが回転されることで上記座金付ナットが上記土台の上端面上であって上記アンカーボルトの上部に螺合されるようになしてあることを特徴とする土台固定具を提供することにより、上記目的を達成したものである。
【０００７】
請求項３に記載の発明は、基礎に埋設された土台固定用のアンカーボルトに螺合される座金付ナットと、該座金付ナットを上記アンカーボルトに螺合させるための回転治具とからなる土台固定具であって、上記座金付ナットが、内面にネジ溝が形成された円筒状のナット部と、該ナット部の一端に結合された平板状の座金部とからなり、複数の切込部又は複数の貫通孔が上記座金部中央の周囲に均等に形成されており、上記回転治具が、先端に刃部が形成された複数の挿入部を下面に有し、インパクトレンチ等の回転用器具を係止させる係止穴を上面中央に有し、複数の上記挿入部が複数の上記切込部又は複数の上記貫通孔の位置に対応して形成されていることを特徴とする土台固定具を提供することにより、上記目的を達成したものである。
【０００８】
また、請求項４に記載の発明は、請求項３に記載の発明において、上記ナット部と上記座金部との結合部に、切削刃が形成されている、ことを特徴とする切削座金付ナットを提供するものである。
【０００９】
【発明の実施の形態】
以下に、本発明の土台固定方法及び土台固定具の実施形態を図面を参照して説明する。図１〜図３は本発明の土台固定具の第１実施形態を示しており、図１は本実施形態の土台固定具における座金付ナットを示す３面図、図２は本実施形態の土台固定具における回転治具を示す４面図、図３は本実施形態の土台固定具の斜視図である。
【００１０】
まず本実施形態の土台固定具について説明する。本実施形態の土台固定具は、木造建築物における基礎にアンカーボルトを用いて土台を固定するもので、図１〜図３に示されるように、基礎３に埋設されたアンカーボルト３ａの上端に螺合される座金付ナット１と、該座金付ナット１を上記アンカーボルト３ａに螺合させるための回転治具２とからなるものである。
【００１１】
本実施形態の土台固定具は、上述したように、上記座金付ナット１と該座金付ナット１専用の上記回転治具２とのセットからなり、各々が切削用の刃１３，２１ａを有し、上記セットが回転されることで上記座金付ナット１が土台４の上端面上であって上記アンカーボルト３ａの上部に螺合されるようになしてある。
【００１２】
上記座金付ナット１は、図１に示されるように、内面にネジ溝１１ａが形成された円筒状のナット部１１と、該ナット部１１の一端に結合された平板状の座金部１２とからなり、一対の切込部１２ａが上記座金部１２中央の周囲に均等に形成されている。
【００１３】
上記ナット部１１の内径は、上記座金部１２の結合されていない側がやや大きくされており、上記アンカーボルト３ａの上端を挿入させやすくしてある。そして、上記ナット部１１の内径は、更に該座金部１２側に行くにつれて小さくされており、これ以降の部分に上記ネジ溝１１ａが形成されている。
【００１４】
上記座金部１２は、中央に孔が形成された円盤状の部材であり、中央に形成された孔が上記ナット部１１の内部と連通して、螺合孔１４を形成している。上記螺合孔１４を中心にして、一対の上記切込部１２ａ，１２ａが上記座金部１２の外周縁より切込形成されている。また、上記ナット部１１と上記座金部１２との結合部には、切削刃１３が形成されている。
【００１５】
上記回転治具２は、図２に示されるように、先端に刃部２１ａが形成された一対の挿入部２１を下面に有すると共に、インパクトレンチ等の回転用器具を係止させる係止穴２２を上面中央に有しており、一対の上記挿入部２１が一対の上記切込部１２ａ，１２ａの位置に対応して形成されている。
【００１６】
上記回転治具２の下面中央には凹部２３が形成されており、もし万が一、上記アンカーボルト３ａの上端が上記土台４の上面より突出されて配置されてしまった場合や、上記座金付ナット１を上記土台４に埋設させ過ぎてしまったような場合であっても、上記座金部１２中央の上記螺合孔１４から突出してしまった上記アンカーボルト３ａ上端と上記回転治具２とが干渉しないようにされている。
【００１７】
上記凹部２３を中心として、一対の上記挿入部２１，２１が上記回転治具２下面の外周縁寄りに突出形成されている。上記挿入部２１の横断面形状は、上記切込部１２ａに等しくされており、上記挿入部２１の先端は斜めにカットされて上記刃部２１ａがそれぞれ形成されている。上記刃部２１ａの先端は、上記回転治具２の中心を通る線上に位置され、該回転治具２が回転されたときに上記挿入部２１によって上記土台４の上面を削り取れる側に鋭利になるように形成されている。上記挿入部２１の長さは、上記座金付ナット１の上記座金部１２の厚さよりも長く形成されている。
【００１８】
上記切込部１２ａが上記座金付ナット１の中心に対称に形成され且つこれに対応して上記挿入部２１が上記回転治具２の中心に対称に形成されると共に、上記切込部１２ａの切込形状と上記挿入部２１の横断面形状とが等しい形状とされているため、上記挿入部２１が上記切込部１２ａに挿入されると、上記座金付ナット１と上記回転治具２とは、その中心を一致させて互いに係合されるようになる。
【００１９】
また、上記挿入部２１の長さが、上記座金部１２の厚さよりも長く形成されているため、上記挿入部２１が上記切込部１２ａに挿入されると、上記挿入部２１先端の上記刃部２１ａが上記切込部１２ａから上記座金部１２の下面側に突出される。上記回転治具２の下面側に磁石を配設させておけば、上記挿入部２１を上記切込部１２ａに挿入させた状態で保持させておくことができ、作業を行い易いという利点がある。
【００２０】
次に、上述した土台固定具を用いた土台固定方法の実施形態について説明する。上記土台固定具の使用に際しては、図３(a) に示されるように、上記基礎３に上記アンカーボルト３ａを埋設させておき、該アンカーボルト３ａを上記土台４の所定位置に穿孔された貫通孔に貫通させておく。このとき、上記アンカーボルト３ａの先端は、上記土台４のほぼ上面に達する位置に来るようにされるが、その上面からは突出しないようにされる。
【００２１】
そして、インパクトレンチの回転部先端を上記回転治具２の上記係止穴２２に挿入係止させる。インパクトレンチに係止された上記回転治具２の一対の上記挿入部２１，２１を、上記座金付ナット１の上記切込部１２ａ，１２ａに挿入させる。上記螺合孔１４の下端に上記アンカーボルト３ａの上端を挿入させ、上記座金付ナット１と上記回転治具２とがセットにされた上記土台固定具を、インパクトレンチにより上記アンカーボルト３ａに螺合させる。もちろん、上記アンカーボルト３ａに上記螺合孔１４の下端を一部だけ螺合させ、その後に上記回転治具２を係止させてインパクトレンチにより上記座金付ナット１を螺合させても良いことは言うまでもない。
【００２２】
上記座金付ナット１がある程度上記アンカーボルト３ａに螺合されると、まず、上記切削刃１３が上記土台４の上面と接触して該土台４を切り削り、次いで、上記挿入部２１，２１先端の上記刃部２１ａ，２１ａが上記土台４の上面と接触して該土台４を切り削る。上記座金付ナット１の上面と上記土台４の上面とが同一高さとなったところでインパクトレンチによる螺合を終了する。
【００２３】
上記回転治具２を上記座金付ナット１から取り外すと、上記座金付ナット１は、図３(b) に示されるように、それ自身が埋設されるのに必要最小限の上記土台４上面部分のみを切り削り、上記土台４の上面を平坦面とした状態で上記土台４を上記基礎３上に固定する。
【００２４】
本実施形態の上述のように構成されており、本実施形態の土台固定具によれば、上記刃部２１ａ及び上記切削刃１３により上記座金付ナット１を上記土台４に埋め込むことにより、該土台４の上面に突出部を形成させないため、該土台４上面への断熱材や根太等との間に隙間を形成させてしまうことが無く、高気密・高断熱の施工が可能であり、施工時に余計な作業が発生せず、施工作業上の障害となるおそれがない。更に、座掘のようなものを形成させることなく、最小限の断面欠損だけで上記土台４の上面に上記座金付ナット１を埋め込むだけであるので、該土台４の強度を低下させてしまうことがない。
【００２５】
次に、本発明の土台固定具の第２実施形態について図面を参照して説明する。図４〜図６は本発明の土台固定具の第２実施形態を示しており、図４は本実施形態の土台固定具における座金付ナットを示す３面図、図５は本実施形態の土台固定具における回転治具を示す４面図、図６は本実施形態の土台固定具の斜視図である。
【００２６】
尚、本実施形態の土台固定具も、上述した第１実施形態に準じた構成とされており、以下には、第１実施形態と特に異なる構成について詳しく説明し、第１実施形態と同様の構成には同一の符号を付してその詳しい説明は省略する。
【００２７】
本実施形態の土台固定具は、座金付ナット１’と回転治具２’とからなっている。上記座金付ナット１’の上記座金部１２に第１実施形態の上記切込部１２ａに相当する一対の円形の開口部１２ａが形成されており、該開口部１２ａの形状に対応して、上記回転治具２’の挿入部２１が円柱状に形成されている。尚、上記挿入部２１の先端は第１実施形態と同様に斜めにカットされて刃部２１ａが形成されている。
【００２８】
また、上記座金部１２の外周縁には、一対の切欠部１５，１５が形成されており、該切欠部１５，１５の下端縁に刃部１５ａ，１５ａが形成されている。上記刃部１５ａの先端は、上記座金付ナット１’が回転されたときに上記刃部１５ａによって上記土台４の上面を削り取れる側に鋭利になるように形成されている。更に、上記開口部１２ａに上記挿入部２１が挿入された際に上記刃部２１ａ側となる上記開口部１２ａ近傍の上記座金部１２裏面には、溝１６が形成されている。上記溝１６は、上記刃部２１ａにより切り削られた削り屑を上記座金部１２と上記土台４の間から排出させる役割を負っている。上記溝１６は、一方の上記開口部１２ａ近傍のみでななく、一対の上記開口部１２ａ，１２ａ双方の近傍に設けても良い。
【００２９】
本実施形態の上記土台固定具の使用に際しては、上述した第１実施形態の土台固定具と同様に使用されるが、本実施形態の土台固定具による上記土台４上面の切り削りは、その中央部が上記切削刃１３、その外側が上記刃部２１ａ、更にその外側が上記刃部１５ａにより切り削られる点で異なる。その他の構成及び使用方法は上述した第１実施形態のものと何ら変わるところはない。本実施形態の土台固定具は、上述した第１実施形態の土台固定具と全く同様の効果を有する。
【００３０】
本発明の土台固定具は、上記実施形態に制限されることはない。例えば、上述した実施形態の上記土台固定具においては、上記切込部１２ａ又は上記開口部１２ａは２つ一対にして形成されているが、３つや４つを均等に配して形成させても良く、この場合、上記挿入部２１も対応した位置に３つや４つ形成されることはいうまでもない。また、その他の点に関しても、本発明の趣旨を逸脱しない限り適宜変更が可能である。
【００３１】
【発明の効果】
本発明の土台固定方法及び土台固定具によれば、予め座掘を施す必要なく、且つ土台上面に突出部を形成させることなく、容易且つ確実に基礎上に土台を固定することができる。
【図面の簡単な説明】
【図１】本発明の土台固定具の第１実施形態における座金付ナットを示しており、(a) は平面図、(b) は正面図、(c) は側面図である。
【図２】本発明の土台固定具の第１実施形態における回転治具を示しており、(a) は平面図、(b) は正面図、(c) は底面図、(d) は側面図である。
【図３】本発明の土台固定具の第１実施形態の使用状態を示す斜視図であり、(a) が施工前、(b) が施工後を示している。
【図４】本発明の土台固定具の第２実施形態における座金付ナットを示しており、(a) は平面図、(b) は正面図、(c) は側面図である。
【図５】本発明の土台固定具の第２実施形態における回転治具を示しており、(a) は平面図、(b) は正面図、(c) は底面図、(d) は側面図である。
【図６】本発明の土台固定具の第２実施形態の使用状態を示す斜視図であり、(a) が施工前、(b) が施工後を示している。
【図７】従来の土台の固定構造（第１例）を示す断面図。
【図８】従来の土台の固定構造（第２例）を示しており、(a) は分解斜視図、(b) は固定状態の斜視図である。
【符号の説明】
１，１’  座金付ナット
１１  ナット部
１１ａ  ネジ溝
１２  座金部
１２ａ  切込部（貫通孔）
１３  切削刃
１４  螺合孔
２，２’  回転治具
２１  挿入部
２１ａ  刃部
２２  係止孔
３  土台
４  基礎
【図１】
0003740246.tif 000002
【図２】
0003740246.tif 000003
【図３】
0003740246.tif 000004
【図４】
0003740246.tif 000005
【図５】
0003740246.tif 000006
【図６】
0003740246.tif 000007
【図７】
0003740246.tif 000008
【図８】
0003740246.tif 000009